(57)【要約】【課題】ピントずれの改善はもとより、フィルム面に傷を付けることなく良好な記録を行なうことができる感光記録装置を提供すること。【解決手段】光学ヘッド１４１の中のインスタントフィルムシート２００１に一番近い側に配設されるレンズアレイユニット１４１ｃの保持部材１４１１の両端部に突起部１４１１ａ，１４１１ｂをそれぞれ設けて、それらの突起部１４１１ａ，１４１１ｂをインスタントフィルムシート２００１の枠部つまり印画エリア外に密着させてインスタントフィルムシートに露光を行なう。インスタントフィルムシートの印画エリア内に損傷を与えずにピントのあった像が得られる。【選択図】  図３
2004163749.tif 000002
【特許請求の範囲】
【請求項１】
一次元的に配列された発光素子アレイの各発光素子を画像情報に応じて発光させるとともに前記各発光素子アレイに対向するように配設されたレンズアレイの各レンズによって前記各発光素子から発光された光それぞれをインスタントフィルムの印画面に結像させる光学ヘッドを備えた感光記録装置において、
前記レンズアレイを保持する保持部材の両端部に突起部を設けて、該突起部をインスタントフィルムの印画面に密着させることによって前記レンズアレイの各レンズと該インスタントフィルムの印画面との距離を定めたことを特徴とする感光記録装置。
【請求項２】
前記突起部は、前記インスタントフィルムの印画面内にある印画エリア外に対応する位置に配設されたものであることを特徴とする請求項１記載の感光記録装置。
【発明の詳細な説明】
【０００１】
【発明の属する技術分野】
本発明は、インスタントフィルムの印画面上に像を形成する感光記録装置に関する。
【０００２】
【従来の技術】
フラッシュメモリ等の記録メディアに記録された画像データに基づいて被写体像をプリントする感光記録装置と呼ばれるものがある。このような感光記録装置では、たとえばデジタルカメラで撮影された被写体像が画像データとして記録されたコンパクトフラッシュメモリなどが感光記録装置内に装着されて、そのコンパクトフラッシュメモリ内に記録された画像データに基づいてインスタントフィルムにプリントが行なわれる。この感光記録装置は、そのコンパクトフラッシュ内に記録された画像データに基づいて発光を行なう光学ヘッドが備えられており、その光学ヘッドによってインスタントフィルムシートの印画面上に被写体像を表わす画像が露光される。そしてそのインスタントフィルムシートの印画面に露光が行なわれたら現像液を展開しながら現像が行なわれる。このインスタントフィルム２００１は自己現像処理型感光材料であり、展開ローラと呼ばれるものによってインスタントフィルムが搬送されている最中に現像液が均一にそのインスタントフィルム上に展開されると被写体像を表わす画像がインスタントフィルム上にポジ像となって記録される。したがって感光記録装置を用いてインスタントフィルムに露光を行なう場合には、その感光記録装置の中の光学ヘッドによってピントのあった画像をインスタントフィルムの印画面に結像させて置く必要がある。このような感光記録装置にあってはその光学ヘッドの先端をインスタントフィルムに近接させてピントのあった像を結像させる方策が多数紹介されている（特許文献１、特許文献２、特許文献３）。しかしインスタントフィルムと光学ヘッドとを近接させるだけでは光学ヘッドによってインスタントフィルム面に結像される像のピントがずれることもある。
【０００３】
そこでこのようなピントずれを防止するため、密着式光学ヘッドと呼ばれる光学ヘッドが用いられる場合もある。この場合にはインスタントフィルムに光学ヘッドを密着させることによって光学ヘッドとインスタントフィルムとの距離を一定に保つことができるのでピントのあった画像がインスタントフィルムの印画面上に形成される。
【０００４】
【特許文献１】
特開平７−１５６４４６号公報
【特許文献２】
特開平８−２７１９９５号公報
【特許文献３】
特開平１１−２９５８２２号公報
【０００５】
【発明が解決しようとする課題】
しかし密着式光学ヘッドを用いると、ピントのずれは改善されるものの、インスタントフィルムの印画面にヘッドの先端部を密着させるため、インスタントフィルムに損傷を与えたり、ゴミが付着してしまうといった問題が出てくる。
【０００６】
本発明は、上記事情に鑑み、ピントずれの改善はもとより、インスタントフィルムの印画面に損傷を与えることなく良好な記録を行なうことができる感光記録装置を提供することを目的とする。
【０００７】
【課題を解決するための手段】
上記目的を達成する本発明の感光記録装置は、一次元的に配列された発光素子アレイの各発光素子を画像情報に応じて発光させるとともに上記各発光素子に対向するように配設されたレンズアレイの各レンズによって上記各発光素子から発光された光それぞれをインスタントフィルムの印画面に集束させる光学ヘッドを備えた感光記録装置において、
レンズアレイを保持する保持部材の両端部に突起部を設けて、その突起部をインスタントフィルムの印画面に密着させることによって前記レンズアレイの各レンズと該インスタントフィルムの印画面との距離を定めたことを特徴とする。
【０００８】
ここで上記レンズアレイを保持する保持部材に設けられた上記突起部は前記インスタントフィルムの印画面内にある印画エリア外に対応する位置に配設されたものであることが好ましい。
【０００９】
このように上記本発明の感光記録装置によれば、上記光学ヘッドが有する上記レンズアレイを保持する保持部材の両端部に突起部が設けられたものであるので、それらの突起部をインスタントフィルムの印画エリア外に密着させてインスタントフィルムの印画エリア内にそれらの突起部によって損傷が与えられるといったことがなくなる。また両端部に設けられた突起部でフィルムの印画エリア外に対応する位置をそれぞれ押さえることによってそれらの突起部の内側に配設されているレンズアレイの各レンズとインスタントフィルムの印画面との距離が一定に保たれるようになる。
【００１０】
しかしながらインスタントフィルム面の印画エリア外に対応する位置を、上記保持部材の両端部に設けられた突起部でそれぞれ押さえると、インスタントフィルムの中央に膨らみが発生することも考えられる。
【００１１】
したがってインスタントフィルムの中央に膨らみが発生したとしても、そのインスタントフィルムの印画面にピントのあった画像が形成されるような光学系を光学ヘッド内に備えられていることが必要になる。しかしこれはレンズアレイの保持部材の両端部に設けられた突起部の寸法やレンズアレイの各レンズの焦点距離とを適当に選択して設計を行なえば充分に達成しうるものである。
【００１２】
【発明の実施の形態】
以下、本発明の実施形態を説明する。
【００１３】
図１は本発明の実施形態を示す感光記録装置の分解図である。
【００１４】
図１では外部からこの感光記録装置１００内に光が侵入しないように感光記録装置１００の筐体を構成する部材それぞれに遮光構造を有する部材が用いられている。その筐体を構成する部材それぞれは、３つの部材１１０，１２０，１３０からなりこれらが組み合わされて感光記録装置１００の筐体が組み立てられる。その組み立てられる筐体の最下部に配設される遮光構造を有する部材１３０にはインスタントフィルムが内部に積層されたインスタントフィルムパック２００が装填される部分があり、その装填されたインスタントフィルムパック２００の最上部にあるインスタントフィルムシート２００１に対向する位置に光学ヘッド部１４０が配設されるようになっている。
【００１５】
この光学ヘッド部１４０には、一次元的に集束光学系が配列された光学ヘッド部１４１と、その光学ヘッド部１４１をインスタントフィルムシートの面に沿って移動させる構造を有する保持部材１４２とが備えられている。光学ヘッド部１４１にはその端部にラック部材１４１１が設けられており、そのラック部材１４１１が、上記保持部材１４２が備えるリードスクリュー１４２１のネジに螺合している。また光学ヘッド部１４１のラック部材１４１１が設けられている側とは反対側にはコの字型の凹み１４１２が設けられており、この凹み１４１２が保持部材１４２のスライドレール１４２２に係合されている。またラック部材１４１１近傍にもガイド棒１４２３が設けられており、そのガイド棒１４２３が光学ヘッド１４１の孔１４１４に挿通されている。
【００１６】
また図１に示すように光学ヘッド部１４１にはフラットケーブル１４１５が接続されており、このフラットケーブル１４１ａを介して図示しないコンパクトフラッシュからの画像データが供給されて光学ヘッド部の長手方向に沿って像が形成される。以降の説明ではこの長手方向つまり一次元的に集束光学系が多数配列されている方向を、主走査方向という。したがって光学ヘッド１４１ａが主走査方向に電子的に走査されて１ライン分の像がインスタントフィルムシート２００１上に形成されたら、図示しない制御手段からの制御信号に基づいてモータ１４２４が駆動されてリードスクリュー１４２１が所定の角度回転して今度はラック部材１４１１とともに光学ヘッド部１４１が１ライン分動かされて、次々と主走査方向の画像が形成されていく。このようにリードスクリューによって光学ヘッドが機械的に走査されてインスタントフィルムシート２００１全体に被写体像をあらわす画像が形成される。以降の説明ではリードスクリュー１４２１によって機械的に走査される方向を副走査方向という。
【００１７】
また光学ヘッド１４１とともに筐体内に組み込まれる展開部１５０には展開ローラ１５１を回転させるためのギアトレイン１５２が展開ローラ１５１とは略直交する側に埋設されており、このギアトレイン１５２が埋設されている部分の内側には展開ローラ１５１側へインスタントフィルムシート２００１を移動させるための爪部１５３が設けられている。この展開部１５０の爪部１５３はフィルム押さえ部１３１にセットされたインスタントフィルムパック２００内の最上部に対応するインスタントフィルムシート２００１を展開ローラ１５１側へ掻き出すことができる位置に配設される。したがって前述した光学ヘッドによってインスタントフィルムパックの一番上のフィルムシート２００１に像が形成されたら、ギアトレイン１５２によって駆動される展開ローラの回転に同期してこの爪部１５３も駆動されてインスタントフィルムシート２００１が展開ローラ１５１側へ導かれる。そして爪部１５３によってインスタントフィルムシート２００１が展開ローラ１５１側に導かれて展開ローラ１５１によりインスタントフィルムシート２００１が巻き込まれるように挟み込まれてインスタントフィルムシート２００１が搬送されて感光記録装置外部へと搬出される。この展開ローラ１５１でインスタントフィルムシート２００１が挟み込まれて搬出されている最中にそのインスタントフィルムシート２００１に現像液が展開される。
【００１８】
このインスタントフィルムシート２００１は自己現像処理型感光材料であり、展開ローラ１５１で挟み込まれて搬送されている最中に現像液が均一に展開されるとフィルムシート上に被写体像がポジ像となって記録される。このようにしてフィルムシート２００１に被写体像を表わす画像が記録されたら排出口１２１から感光記録装置１００外部さらにインスタントカメラ外部へと排出される。
【００１９】
いままではインスタントフィルムシート２００１に光学ヘッド部１４１によってインスタントフィルムシート２００１に被写体像を表わす画像が露光されるときに密着型光学ヘッドと呼ばれるものが用いられて、その密着式光学ヘッドをインスタントフィルムシートの印画面全体に接触させることによって画像が形成されていた。この密着型光学ヘッドはインスタントフィルムシート２００１の凹凸に追従して接触する構造を有するもので、接触させて走査してもインスタントフィルムシート２００１の印画面にさほど損傷を与えるものではなかった。却ってインスタントフィルムシート２００１の印画面に光学ヘッド部１４１の先端部を接触させることによって光学ヘッド部１４１とインスタントフィルムシート２００１の印画面との距離を一定に保つことができてピントのあった画像がインスタントフィルムシートの印画面上に最適な露光が行なわれていた。しかしこの密着式光学ヘッドがインスタントフィルムシート２００１の印画面の凹凸に追従するものであってもその密着式光学ヘッドによってフィルムが傷付けられてしまうこともある。
【００２０】
そこで本実施形態の感光記録装置１００では、光学ヘッド部１４１の先端をすべて接触させずにインスタントフィルムシート２００１上にピントのあった画像の形成が行なわれるように改善を施している。
【００２１】
図２はインスタントフィルムシート２００１の印画面を示す図である。また、図３はそのインスタントフィルムシート２００１の印画面に対向して配設される光学ヘッド部１４１の構造を示す図である。
【００２２】
図２に示すようにインスタントフィルムシート２００１には印画エリア２００１ａとその印画エリア２００１ａの周辺部に枠部２００１ｂが設けられている。この枠部２００１ｂに対応する位置を利用すれば、インスタントフィルムシート２００１の印画面に損傷を与えることが極力抑えられる。そこで光学ヘッド部１４１からインスタントフィルムシート２００１側に向けてこの枠部２００１ｂを抑える突起部１４１１ａ，１４１１ｂを設けて改善を施している。
【００２３】
図３はそれらの突起部１４１１ａ，１４１１ｂが設けられた光学ヘッド１４１の構造を示す図である。
【００２４】
図３に示すように光学ヘッド１４１は発光素子アレイ部１４１ａと液晶シャッタアレイ部１４１ｂとレンズアレイ部１４１ｃとからなる。
【００２５】
発光素子アレイ部１４１ａには、ＲＧＢの３原色の発光素子アレイ１４１Ｒ，１４１Ｇ，１４１Ｂそれぞれが光学ヘッドの長手方向（主走査方向）に沿って一列に配列されており、それらの発光素子アレイ１４１ａの各発光素子で発光された光がインスタントフィルムシート２００１側に配設されたレンズアレイ部１４１ｃの各レンズによってインスタントフィルムシート２００１の印画エリア２００１ａにそれぞれ集束されるようになっている。この図３には発光素子アレイ部１４１ａ内に配備されたＲＧＢそれぞれの発光素子アレイ１４１Ｒ，１４１Ｇ，１４１Ｂの配設順序が示されている。その発光素子アレイ部１４１ａとレンズアレイ部１４１ｃとの間には液晶シャッターアレイ部１４１ｂが配設されており、この液晶シャッタアレイ部１４１ｂの各液晶シャッターを制御してそれぞれの液晶シャッター１４１ｂ中を透過する光の量が調節されてそれぞれの発光素子に対応する画素の階調が制御される。なお図３には発光素子アレイ部１４１ａとレンズアレイ部１４１ｃ、それらの部材の間に配設される液晶シャッターアレイ部１４１ｂの配置だけを示してあり、詳細な構成についてまでは表記していない。この光学ヘッドは３色の発光素子から発光された光を順次インスタントフィルムシートの印画面に形成するものであって、フルカラー画像がインスタントフィルムシートの印画面上に形成されるものである。
【００２６】
図３を参照して動作を簡単に説明する。
【００２７】
図３に示した発光素子アレイ１４１Ｒ，１４１Ｇ，１４１Ｂそれぞれから発光された光がそれぞれ液晶シャッターアレイ１４１ｂを通ってレンズアレイ１４１ｃに達し、インスタントフィルムシート２００１の印画面２００１ａに集束されて、Ｒ、Ｇ、Ｂの各色が主走査方向の送り量ごとつまり１ラインごとに結像される。各発光素子アレイ１４１Ｒ，１４１Ｇ，１４１Ｂは副走査方向に順次送られる１ラインごとずれて配列されているので、発光素子アレイ１４１ａで１ラインずつ像を形成していけば、ＲＧＢの３色が液晶シャッターアレイ１４１ｂの透過率に応じて各画素の配色が行なわれて被写体像に応じた所望のカラー画像がフィルムシート２００１の印画面２００１ａ上に形成される。
【００２８】
また図３に示すようにレンズアレイ１４１ｃを保持する保持部材１４１１の両端部には印画エリア外に対応する位置に突起部１４１１ａ，１４１１ｂが設けられ、それらの突起部１４１１ａ，１４１１ｂがインスタントフィルム２００１面に接するようにして配設されている。したがって、これらの突起部１４１１ａ，１４１１ｂに挟まれるようにして配列されているレンズアレイ１４１ｂの各レンズとインスタントフィルムシート２００１の印画面２００１ａとの間隔がそれらの突起部１４１１ａ，１４１１ｂによって一定に保たれる。しかし、このように突起部１４１１ａ，１４１１ｂでインスタントフィルムシート２００１の枠部２００１ｂを押さえると、インスタントフィルムシート２００１の印画面２００１ａに膨らみが発生しないとも限らない。
【００２９】
そこで、このような膨らみが発生してもピントのあった画像がフィルムの印画面上に形成されるようにした例を図４に挙げて説明する。
【００３０】
図４は図３に示した光学ヘッド部１４１を垂直方向に切断した断面を示す図である。ここではインスタントフィルムシートの膨らみとして最大０．１９ｍｍそった膨らみが発生するものと仮定し、その膨らみが発生してもインスタントフィルムシート上にピントのあった画像が形成されるように、集束光学系のピントの位置がフィルム面とレンズアレイとの中央、つまりフィルム面から０．１ｍｍ離れた部分に設定されている。そうするとレンズアレイのレンズとフィルム面との間隔が０．１ｍｍずれたとしてもピントのあった画像がインスタントフィルムシート上に結像される。
【００３１】
図４の例ではインスタントフィルムシートの印画面が０．１９ｍｍの膨らんだとしてもレンズアレイ１４１ｃのレンズにフィルムシートの印画面が接触しないように、０．２ｍｍの高さを持たせた例を掲げている。このようにするとレンズアレイ部とインスタントフィルムシート２００１の印画面との間の中央つまり印画面から０．１ｍｍ離れた部分にピントが設定され、そのピント位置から０．１ｍｍずれても光学系によってピントのあった画像がフィルム面上に結像される集束光学系が配備されているので、インスタントフィルムシートの印画エリアに膨らみが生じたとしても、また全く膨らみがインスタントフィルムシートに生じなかったとしてもインスタントフィルム２００１の印画面にピントのあった画像が結像される。
【００３２】
以上説明したように、フィルムの印画面が損傷を受けるといったことが回避されるとともに、光学ヘッドが備える光学系によってインスタントフィルムの印画面にピントのあった像が結像される。
【００３３】
このように本実施形態の感光記録装置によって高品位なプリント画像をユーザに提供することができる。
【００３４】
【発明の効果】
以上、説明したように、本発明のカメラによれば、ピントずれの改善はもとより、フィルム面に傷を付けることなく良好な記録を行なうことができる感光記録装置を提供することができる。
【図面の簡単な説明】
【図１】本発明の実施形態の感光記録装置を示す分解図である。
【図２】インスタントフィルムシートの構成を示す図である。
【図３】光学ヘッドの構成を示す図である。
【図４】図３の光学ヘッドを垂直方向に切断した断面図である。
【符号の説明】
１００  感光記録装置
１１０  筐体を構成する遮光部材１
１２０  筐体を構成する遮光部材２
１３０  筐体を構成する遮光部材３
１４０  光学ヘッド部
１４１  光学ヘッド
１４１ａ    発光素子アレイ部
１４１ｂ    液晶シャッターアレイ部
１４１ｃ    レンズアレイ部
１４１１  レンズアレイ部の保持部材
１４１１ａ  １４１１ｂ  突起部
１５０  展開部
２００  インスタントフィルムパック
２００１  インスタントフィルムシート
２００１ａ  印画エリア
２００１ｂ  枠部
【図１】
2004163749.tif 000003
【図２】
2004163749.tif 000004
【図３】
2004163749.tif 000005
【図４】
2004163749.tif 000006